(57)【要約】【課題】  本発明は、除電装置および画像形成装置に関し、導光体の長手方向について像保持体等の被除電体への光照射の光量の不均一性を低減化させる。【解決手段】  光の照射を受けて除電される被除電体に沿って棒状に延び光源から射出された光を一方の端面から入射し導光しながら周面から光を発散させる導光体と、導光体の、被除電体との対面側に開口を有しその対面側を除いて導光体を取り巻いて導光体から発散した光を反射する反射体とを備え、上記光源が、導光体の、被除電体に沿って棒状に延びる方向に対し、その光源から離れるに従って被除電体に接離する向きに射出光軸が傾いた姿勢に、配置されている。【選択図】        図６
2013040983.tif 000002
【特許請求の範囲】
【請求項１】
あらかじめ定められた射出角を持って射出光軸の周りに光を射出する光源と、
光の照射を受けて除電される被除電体に沿って棒状に延び前記光源から射出された光を一方の端面から入射し導光しながら周面から光を発散させる導光体と、
前記導光体の、前記被除電体との対面側に開口を有し該対面側を除いて該導光体を取り巻いて該導光体から発散した光を反射する反射体とを備え、
前記光源が、前記導光体の、前記被除電体に沿って棒状に延びる方向に対し、該光源から離れるに従って該被除電体に接離する向きに前記射出光軸が傾いた姿勢に、配置されていることを特徴とする除電装置。
【請求項２】
前記光源が、前記導光体の延びる方向に対し、該光源から離れるに従って該被除電体から離れる向きに前記射出光軸が傾いた姿勢に、配置されていることを特徴とする請求項１記載の除電装置。
【請求項３】
前記導光体の、前記光源からの光が入射される端面寄りの端部を支持する支持部材を備え、
前記光源が、前記導光体の延びる方向に対し、該光源から離れるに従って該被除電体から離れる向きに、前記射出角以上であって、かつ、前記射出光軸が前記支持部材と干渉する角度未満だけ前記射出光軸が傾いた姿勢に、配置されていることを特徴とする請求項２記載の除電装置。
【請求項４】
回転軸の回りに回転しながら静電潜像の形成を受け現像位置で現像を受けてトナー像を保持し転写位置で該トナー像を転写先に転写する像保持体と、
前記現像位置において前記像保持体上の静電潜像を現像して該像保持体上にトナー像を形成する現像器と、
前記転写位置において前記像保持体上のトナー像を転写先に転写させる転写器と、
前記像保持体上の転写後の領域に近接配置されて該領域に光を照射することにより該像保持体を除電する除電器とを備え、
前記除電器が、
あらかじめ定められた射出角を持って射出光軸の周りに光を射出する光源と、
前記像保持体に沿って該像保持体の回転軸方向に棒状に延び前記光源から射出された光を一方の端面から入射し導光しながら周面から光を発散させる導光体と、
前記導光体の、前記像保持体との対面側に開口を有し該対面側を除いて該導光体を取り巻いて該導光体から発散した光を反射する反射体とを備え、
前記光源が、前記導光体の、前記像保持体に沿って棒状に延びる方向に対し、該光源から離れるに従って該像保持体に接離する向きに前記射出光軸が傾いた姿勢に、配置されていることを特徴とする画像形成装置。
【発明の詳細な説明】
【技術分野】
【０００１】
本発明は、除電装置および画像形成装置に関する。
【背景技術】
【０００２】
電子写真方式の画像形成装置が多用されている。この種の画像形成装置では、像保持体が、帯電装置により帯電され、露光装置により露光されて潜像が形成され、その潜像が現像装置で現像されてトナー像が形成される。像保持体上のトナー像は最終的に用紙上に転写されて定着され、用紙上に定着トナー像からなる画像が形成される。また転写後の像保持体は、除電装置により光が照射されることにより除電され、その後再び、帯電装置により帯電される。
【０００３】
特許文献１には、像保持体に沿って延びる導光体に隣接して光が通過する空間部が形成された光照射体が開示されている。
【先行技術文献】
【特許文献】
【０００４】
【特許文献１】特開２００９−１５１００７号公報
【発明の概要】
【発明が解決しようとする課題】
【０００５】
本発明は、導光体の長手方向について像保持体等の被除電体への光照射の光量の不均一性を低減化させた除電装置および画像形成装置を提供することを目的とする。
【課題を解決するための手段】
【０００６】
請求項１は、
あらかじめ定められた射出角を持って射出光軸の周りに光を射出する光源と、
光の照射を受けて除電される被除電体に沿って棒状に延び光源から射出された光を一方の端面から入射し導光しながら周面から光を発散させる導光体と、
導光体の、被除電体との対面側に開口を有しその対面側を除いて導光体を取り巻いて導光体から発散した光を反射する反射体とを備え、
上記光源が、導光体の、被除電体に沿って棒状に延びる方向に対し、光源から離れるに従って被除電体に接離する向きに射出光軸が傾いた姿勢に、配置されている除電装置である。
【０００７】
請求項２は、請求項１において、上記光源が、上記導光体の延びる方向に対し、光源から離れるに従って被除電体から離れる向きに射出光軸が傾いた姿勢に、配置されている除電装置である。
【０００８】
請求項３は、請求項１において、上記導光体の、光源からの光が入射される端面寄りの端部を支持する支持部材を備え、上記光源が、導光体の延びる方向に対し、光源から離れるに従って被除電体から離れる向きに、射出角以上であって、かつ、射出光軸が支持部材と干渉する角度未満だけ射出光軸が傾いた姿勢に、配置されている除電装置である。
【０００９】
さらに、請求項４は、
回転軸の回りに回転しながら静電潜像の形成を受け現像位置で現像を受けてトナー像を保持し転写位置でトナー像を転写先に転写する像保持体と、
現像位置において像保持体上の静電潜像を現像して像保持体上にトナー像を形成する現像器と、
転写位置において像保持体上のトナー像を転写先に転写させる転写器と、
像保持体上の転写後の領域に近接配置されてその領域に光を照射することにより像保持体を除電する除電器とを備え、
上記除電器が、
あらかじめ定められた射出角を持って射出光軸の周りに光を射出する光源と、
像保持体に沿って像保持体の回転軸方向に棒状に延び光源から射出された光を一方の端面から入射し導光しながら周面から光を発散させる導光体と、
導光体の、像保持体との対面側に開口を有しその対面側を除いて導光体を取り巻いて導光体から発散した光を反射する反射体とを備え、
上記光源が、導光体の、像保持体に沿って棒状に延びる方向に対し、光源から離れるに従って像保持体に接離する向きに射出光軸が傾いた姿勢に、配置されている画像形成装置である。
【発明の効果】
【００１０】
請求項１の除電装置および請求項４の画像形成装置によれば、射出光軸を導光体の延びる方向に平行にした場合と比較し、光照射の光量の不均一性が低減する。
【００１１】
請求項２の除電装置によれば、導光体の延びる方向に対し射出光軸が被除電体に近づく向きに傾いている場合と比較し、光照射の光量の不均一性が一層低減する。
【００１２】
請求項３の除電装置によれば、上記の角度範囲から外れた傾きの場合と比べ、光照射の光量の不均一性の一層の低減化と有効な照射光量の確保との両立が図られる。
【図面の簡単な説明】
【００１３】
【図１】画像形成装置の一例としての複写機の外観斜視図である。
【図２】図１に外観を示す複写機の内部構成図である。
【図３】図１，図２に示す画像形成装置に備えられている除電器を、その除電器に隣接する感光体とともに示した図である。
【図４】図３に示す矢印Ｘ−Ｘ断面を拡大して示した図である。
【図５】光源を、その光源の射出光軸を導光体が棒状に延びる方向と一致させた向きに配置した状態を示した図である。
【図６】光源の射出光軸を、感光体から離れる向きに、この光源の射出角である８°だけ傾けた状態を示した図である。
【図７】光源の射出光軸が、感光体から離れる向きであって支持部材と干渉するぎりぎりの位置となるように、光源を傾けた状態を示した図である。
【図８】除電器が感光体を照射する光の、感光体の回転軸方向の光量分布を示す図である。
【発明を実施するための形態】
【００１４】
以下、本発明の実施形態を説明する。
【００１５】
図１は、画像形成装置の一例としての複写機の外観斜視図である。
【００１６】
この複写機１は、原稿読取部１Ａと画像形成部１Ｂとを有する。
【００１７】
原稿読取部１Ａには、原稿が重ねられた状態に置かれる原稿給紙台１１が備えられている。この原稿給紙台１１上に置かれた原稿は１枚ずつ送り出され、その原稿に記録されている文字や画像が読み取られて原稿排紙台１２上に排出される。
【００１８】
また、この原稿読取部１Ａは、奥側を左右に延びるヒンジを有し、そのヒンジを回転中心として、原稿給紙台１１および原稿排紙台１２を一体的に持ち上げることができ、その下には、透明ガラス製の原稿読取板１３（図２参照）が広がっている。この原稿読取部１Ａでは、原稿給紙台１１に原稿を置くことに代えて原稿読取板１３上に原稿を１枚だけ下向きに置き、その原稿読取板１３上の原稿から文字や画像を読み取ることもできる。
【００１９】
この原稿読取板１３の前側には、ユーザに向けて様々なメッセージを表示し、また、様々な操作ボタンを表示して、ユーザからの、原稿読取りや画像形成の指示等の操作を受ける表示操作部１４が備えられている。
【００２０】
この原稿読取部１Ａは、その全体が支持フレーム１５により支持されている。
【００２１】
また、画像形成部１Ｂは、その上面に画像が形成された用紙が排出される排紙台２１が設けられている。またこの画像形成部１Ｂの前面には、内部の、トナー容器等の部品の交換や搬送中に詰まった用紙の除去のために開けられる前カバー２２を備えている。また、その下には、画像形成前の用紙が積み重ねられた状態に収容される引き出し型の３台の給紙台２３＿１，２３＿２，２３＿３が収容されている。
【００２２】
また、この画像形成部１Ｂの左側面には、搬送中に詰まった用紙を取り除くときに開かれる横カバー２４が設けられている。
【００２３】
さらに、この画像形成部１Ｂの底面には、この画像形成部１Ｂを移動可能とする車輪２５１が取り付けられている。
【００２４】
図２は、図１に外観を示す複写機の内部構成図である。
【００２５】
透明ガラス製の原稿読取板１３の下には、原稿読取光学系３０が配備されている。この原稿読取光学系３０は、ランプ３１１とミラー３１２とを有する第１ブロック３１と、２枚のミラー３２１，３２２を有する第２ブロック３２と、画像を表わす光を読み取って画像信号を生成する光電センサ３３とを有する。
【００２６】
第１ブロック３１と第２ブロック３２は、原稿読取板１３に沿って矢印Ａ−Ａ’方向に移動可能であり、初期状態では、図２に示す左寄りの位置にある。
【００２７】
原稿給紙台１１上に置かれた原稿Ｓは、１枚ずつ送り込まれ、搬送ローラ１６により原稿読取板１３に接する搬送経路１７上を搬送される。原稿Ｓは、原稿読取板１３に接して搬送される際にランプ３１１により照射され、原稿Ｓからの反射光がミラー３１２，３２１，３２２で反射されて光電センサ３３で読み取られ、その原稿Ｓに記録されていた文字や画像を表わす画像信号が生成される。ランプ３１１による照射を受けた原稿Ｓはさらに搬送されて原稿排紙台１２上に送り出される。
【００２８】
原稿が原稿読取板１３上に置かれたときは、第１ブロック３１および第２ブロック３２が、原稿読取板１３上の原稿の読取位置と光電センサ３３との間の光学的な距離を常に同一に保つように矢印Ａ方向に移動する。そして、その間、ランプ３１１が原稿を照射し、光電センサ３３でその原稿上の文字や画像が読み取られて画像信号に変換される。
【００２９】
光電センサ３３で得られた画像信号は画像処理部３４に入力される。光電センサ３３で得られた画像信号はＲ（レッド）、Ｇ（グリーン）、およびＢ（ブルー）の各色を表わす画像信号であり、画像処理部３４は、このＲＧＢの画像信号をＹ（イエロー）、Ｍ（マゼンタ）、Ｃ（シアン）、およびＫ（黒）の４色分からなる画像データに変換して一時的に記憶する。そして、後述する潜像形成のための露光の時期に合わせて露光制御部４１に送信される。
【００３０】
この画像形成部１Ｂには露光器４２が備えられており、潜像形式にあたっては、露光制御部４１から露光器４２にＹ、Ｍ，Ｃ，Ｋの画像データが送り込まれ、露光器４２から、各Ｙ，Ｍ，Ｃ，Ｋの各画像データにより変調された各露光光４２１Ｙ，４２１Ｍ，４２１Ｃ，４２１Ｋが発せられる。
【００３１】
また、この図２には、露光制御部４１に隣接した位置に主制御部４０が示されている。この主制御部４０は、マイクロコンピュータと、そのマイクロコンピュータで実行されるプログラムとで構成されていて、露光制御部４１、表示操作部１４（図１参照）、画像処理部３４、その他図示しない各種電源回路や駆動回路等に接続され、この複写機１の全体の制御を担っている。
【００３２】
画像形成部１Ｂの下部には、前述した３台の給紙台２３＿１，２３＿２，２３＿３が左右の案内レール２４＿１，２４＿２，２４＿３に支持されて収容されている。各給紙台２３＿１，２３＿２，２３＿３には、用紙Ｐが積み重なった状態に収容されている。各給紙台２３＿１，２３＿２，２３＿３は、用紙Ｐの補給のために、案内レール２４＿１，２４＿２，２４＿３に案内されて引出し自在に構成されている。
【００３３】
それら３台の給紙台２３＿１，２３＿２，２３＿３のうちの、表示操作部１４（図１参照）の操作等により指定された給紙台（ここでは一例として給紙台２３＿１とする）からは、用紙Ｐがピックアップロール２５により送り出され、さばきロール２６により１枚ずつに分離され、その１枚の用紙Ｐが搬送ロール２７により上方に搬送され、待機ロール２８によりそれ以降の搬送のタイミングが調整されて、さらに上方に搬送される。この待機ロール２８以降の用紙の搬送については後述する。
【００３４】
この画像形成部１Ｂの中央部分には、Ｙ，Ｍ，Ｃ，Ｋの各色のトナーによるトナー像を形成する４つの像形成ユニット５０Ｙ，５０Ｍ，５０Ｃ，５０Ｋが配置されている。これら４つの像形成ユニット５０Ｙ，５０Ｍ，５０Ｃ，５０Ｋは、使用するトナーの色が異なることを除き、互いに同一の構成を有するため、ここでは像形成ユニット５０Ｙを取り挙げてその構成を説明する。
【００３５】
この像形成ユニット５０Ｙは、図２に矢印Ｂで示す向きに回転する感光体５１を有し、その感光体５１の周囲に、帯電器５２、現像器５３、除電器５５およびクリーナ５６が配置されている。また、後述する中間転写ベルト６１を感光体５１との間に挟んだ位置には、転写器５４が置かれている。
【００３６】
感光体５１はロール形状を有し、帯電により電荷を保持し露光によりその電荷を放出してその表面に静電潜像を保持する。
【００３７】
帯電器５２は、感光体５１の表面をある帯電電位に帯電する。
【００３８】
また、この画像形成部１Ｂは、前述した露光器４２を有する。この露光器４２には、露光制御部４１から画像信号が入力され、その入力された画像信号に応じて変調された露光光４２１Ｙ，４２１Ｍ，４２１Ｃ，４２１Ｋを出力する。感光体５１は、帯電器５２による帯電を受けた後、露光器４２からの露光光４２１Ｙの照射を受け、感光体５１の表面に静電潜像が形成される。
【００３９】
感光体５１は、露光光４２１Ｙの照射を受けて表面に静電潜像が形成された後、現像器５３により現像され、その感光体５１の表面にトナー像（この像形成ユニット５０Ｙではイエロー（Ｙ）のトナーによるトナー像）が形成される。
【００４０】
現像器５３は、内部にトナーとキャリアとからなる現像剤を収容したケース５３１内に、現像剤を攪拌する２本のオーガ５３２＿１，５３２＿２と、現像剤を感光体５１に対向した位置に運ぶ現像ロール５３３とを有する。感光体５１上に形成された静電潜像の現像にあたっては、現像ロール５３３にバイアス電圧が印加され、そのバイアス電圧の作用により、現像剤中のトナーが、感光体５１上に形成された静電潜像に従って感光体５１上に付着し、トナー像が形成される。
【００４１】
現像器５３による現像により感光体５１上に形成されたトナー像は、転写器５４の作用により中間転写ベルト６１上に転写される。
【００４２】
除電器５５は、感光体５１の、転写後の領域に光を照射する。感光体５１は除電器５５からの光の照射を受けて除電される。この除電器５５は本発明の除電装置の一例であり、かつ本発明の画像形成装置にいう除電器の一例である。また、感光体５１は、本発明の除電装置にいう、光の照射を受けて除電される被除電体の一例であり、かつ本発明の画像形成装置にいう像保持体の一例である。
【００４３】
さらにクリーナ５６により、転写後の感光体５１上に残存するトナーが感光体５１上から取り除かれる。
【００４４】
中間転写ベルト６１は、複数のロール６２に架け回された、無端の、矢印Ｃ方向に循環移動するベルトである。
【００４５】
像形成ユニット５０Ｙ，５０Ｍ，５０Ｃ，５０Ｋのそれぞれで形成された各色トナーによるトナー像は、順次重なるように中間転写ベルト６１上に転写され、転写器６３が配置された二次転写位置に搬送される。これと同期して、待機ロール２８にまで搬送されてきていた用紙が二次転写位置に搬送され、転写器６３の作用により、中間転写ベルト６１上のトナー像が、搬送されてきた用紙上に転写される。このトナー像の転写を受けた用紙は、さらに搬送され、定着器６４による加圧および加熱により用紙上のトナー像がその用紙上に定着され、定着されたトナー像からなる画像が用紙上に形成される。画像が形成された用紙はさらに搬送され、排出ローラ６５により、排紙台２１上に排出される。
【００４６】
転写器６３によりトナー像を用紙上に転写した後の中間転写ベルト６１はさらに循環移動し、その表面に残存するトナーがクリーナ６６によって中間転写ベルト６１上から取り除かれる。
【００４７】
また、画像形成部１Ｂの、中間転写ベルト６１よりも上方には容器装着部２９Ｙ，２９Ｍ，２９Ｃ，２９Ｋが設けられている。これらの容器装着部２９Ｙ，２９Ｍ，２９Ｃ，２９Ｋには、イエロー（Ｙ）、マゼンタ（Ｍ），シアン（Ｃ）、および黒（Ｋ）の各色トナーを収容するトナー容器６７Ｙ，６７Ｍ，６７Ｃ，６７Ｋが装着されている。これらのトナー容器６７Ｙ，６７Ｍ，６７Ｃ，６７Ｋに収容されている各色トナーは、対応する各現像器５３におけるトナーの消費量に応じて各現像器５３に補給される。
【００４８】
図３は、図１，図２に示す画像形成装置に備えられている除電器を、その除電器に隣接する感光体とともに示した図である。また図４は、図３に示す矢印Ｘ−Ｘ断面を拡大して示した図である。
【００４９】
この除電器５５は、光源７１と、導光体７２と、反射体７３とを有する。この光源７１は、例えばＬＥＤ（Ｌｉｇｈｔ  Ｅｍｉｔｔｅｄ  Ｄｉｏｄｅ）からなり、あらかじめ定められた射出角（本実施形態では８°）を持って射出光軸の周りに光を射出する。この光源７１は、画像形成部１Ｂ（図１，図２参照）の筐体に固定された支持部材２９１に固定されている。
【００５０】
また、導光体７２は、感光体５１に沿って棒状に延び、光源７１から射出された光を一方の端面７２１から入射し導光しながら周面から光を発散させる。この導光体７２は、光源７１と同様、その両端部が、画像形成部１Ｂ（図１，図２参照）の筐体に固定された支持部材２９２ａ，２９２ｂに支持されている。
【００５１】
また、反射体７３は、図４に示すように、導光体７２の、感光体５１との対面側に開口７３１を有し、その対面側を除いて導光体７２を取り巻いて、その導光体７２から反射体７３に向かって発散してきた光を反射する。
【００５２】
これにより、光源７１から射出され導光体７２に入射した光は、光を周囲に発散させながら導光体７２内を進み、図３に矢印Ｌで示すように感光体５１を照射する。すなわち、導光体７２で感光体５１側に発散された光は直接に感光体５１を照射し、また、反射体７３側に発散された光は反射体７３で反射され再び導光体７２を通って感光体５１を照射する。
【００５３】
このようにして、感光体５１は、その回転軸方向のいずれの点においても、光の照射を受けて除電される。
【００５４】
図５〜図７は、図３に示す矢印Ｙ−Ｙ断面の光源よりの部分を拡大して示した図である。
【００５５】
図５は、光源７１を、その光源７１の射出光軸７１１を導光体７２が棒状に延びる方向と一致させた向きに配置した状態を示している。
【００５６】
また、図６は、光源７１の射出光軸７１１を、感光体５１から離れる向きに、この光源７１の射出角である８°だけ傾けた状態を示している。
【００５７】
さらに図７は、光源７１の射出光軸７１１が、感光体５１から離れる向きであって支持部材２９１と干渉するぎりぎりの位置となるように、光源７１を傾けた状態を示している。
【００５８】
これらの図５〜図７において、射出光軸７１１や、射出角を示す線７１２ａ，７１２ｂは、部材との干渉等は無視し、光源７１から射出された光がそのまま直進するものとして示してある。また、光源７１は、発光面７１ａを有し、射出角を示す線７１２ａ，７１２ｂは、その発光面７１ａの端から延びる線として示してある。
【００５９】
図８は、除電器が感光体を照射する光の、感光体の回転軸方向の光量分布を示す図である。
【００６０】
図８の横軸は、導光体７２の、入射側端面７２１からの距離（ｍｍ）、縦軸はその距離での感光体５１を照射する光の光量（相対値）である。
【００６１】
この図８に示す「有効光量範囲」は、感光体５１の回転軸方向の有効長に、さらに除電器５５の取付誤差分だけ余裕を持たせた範囲である。
【００６２】
感光体５１に除電のための光を部分的に強く照射し過ぎると、その部分だけ他の部分と比べ除電が進み過ぎ、その後の帯電、露光等を経て作成した画像に濃度ムラを生じるおそれがある。このため、ここでは、図８に示す有効光量範囲内の照射光量が横軸のどの位置でもできるだけ一定であることが望まれる。
【００６３】
図８中、０°の曲線は、図５に示すように、光源７１の射出光軸７１１を、導光体７２の棒状に延びる方向に一致させたときのものである。
【００６４】
また、＋５°、＋１０°の曲線は、図５〜図７には示していないが、射出光軸７１１を感光体５１に近づける方向に、それぞれ５°、１０°傾けたときのものである。
【００６５】
さらに、−５°、−１０°の曲線は、射出光軸７１１を感光体５１から遠ざける方向にそれぞれ５°、１０°傾けたときのものである。
【００６６】
いずれの曲線においても、導光体７２の入射側端面７２１に近い位置では光量が大きく、その入射側端面７２１から離れるに従って光量が低下し、その入射側端面７２１から最も離れた位置で光量が急激に大きくなっている。入射側端面７２１から最も離れた位置で光量が急激に大きくなっているのは、導光体７２内を伝達されてきた光が、その導光体７２の、入射側端面７２１とは反対側の端面で反射する影響によるものである。ただし、この光量が急激に大きくなっている位置は、有効光量範囲からは外れている。支持部材２９２ａ，２９２ｂ（図３参照）のうちの支持部材２９２ｂは、導光体７２の、入射側とは反対側の端部を支持してあり、その支持部材２９２ｂからの反射の影響も皆無ではないが十分小さいことが分かっている。
【００６７】
ここで、有効光量範囲内での、最小光量に対する最大光量の比率（最大光量／最小光量）を求めると、その比率が最も高い曲線はこの図８に示す複数の曲線のうち０°の曲線である。すなわち、光源７１は、光源７１から離れるに従って感光体５１に接離する向きに射出光軸７１１を傾けた姿勢に配置する方が、上記比率が小さくて済み、その分、除電ムラを低減することができる。
【００６８】
また、０°の曲線を除いて、次に比率が高いのは、射出光軸７１１を感光体５１側に５°傾けたとき（＋５°の曲線）であり、さらに次に比率が高いのは感光体５１側に１０°傾けたとき（＋１０°の曲線）である。さらにその次は射出光軸７１１を感光体５１から離れる向きに５°傾けたとき（−５°の曲線）であり、比率が最も低いのは感光体５１から離れる向きに１０°傾けたとき（−１０°の曲線）である。
【００６９】
すなわち、光源７１の射出光軸７１１を、感光体５１側に傾けた状態と感光体５１から離れる向きに傾けた状態とを比較すると、感光体５１から離れる向きに傾けた状態の方が除電ムラをさらに低減することができる。
【００７０】
光源７１の射出光軸７１１を感光体５１から離れる向きに傾けるにあたっては、図６に示すように、出射角（ここでは８°）を示す２本の線７１２ａ，７１２ｂのうちの、感光体５１側の線７１２ｂが導光体７２の延びる方向（感光体５１の回転軸の方向）と平行になる角度以上すなわち出射角（ここでは８°）以上傾けることが好ましい。出射角以上傾けることによって反射体７３で反射されずに感光体５１を直接に照射する光の光量を低く抑えることができ、感光体５１はさらに一様な光量で照射されることになる。
【００７１】
また、光源７１の射出光軸７１１を感光体５１から離れる向きに傾けるにあたり、射出光軸７１１が、支持部材２９２ａ，２９２ｂのうちの、導光体７２の入射側の端部を支持する支持部材２９２ａに干渉する角度（図７参照）未満の角度とすることが好ましい。
【００７２】
光源７１から射出される光は、射出光軸７１１の方向に進む光の光量が最も大きい。したがって、光源７１を、射出光軸７１１が支持部材２９２ａと干渉する角度以上に傾けると、導光体７２に有効に入射する光量が減り過ぎてしまうことになる。
【００７３】
したがって、光源７１を、その射出光軸７１１が感光体５１から離れる向きに傾いて配置する場合において、その光源を射出角（図６参照）以上であって、かつ射出光軸７１１が支持部材２９２ａと干渉する角度（図７参照）未満だけ傾けることが好ましい。
【００７４】
尚、本実施形態では、図１，図２に示す複写機１に除電器５５を適用した例について説明したが、本発明は、複写機のみに通用されるものではなく、プリンタやファクシミリなど、光の照射による除電を必要とする画像形成装置に広く適用することができるものである。
【００７５】
さらには、本発明の除電装置は、画像形成装置から離れ、光の照射により除電を行なう必要のある装置あるいは機器に広く適用することができる。
【符号の説明】
【００７６】
１        複写機
１Ａ      原稿読取部
１Ｂ      画像形成部
４２      露光器
５０Ｙ，５０Ｍ，５０Ｃ，５０Ｋ      像形成ユニット
５１      感光体
５２      帯電器
５３      現像器
５４      転写器
５５      除電器
５６      クリーナ
６１      中間転写ベルト
６２      ロール
６３      転写器
６４      定着器
６５      排出ローラ
７１      光源
７１ａ      発光面
７２      導光体
７３      反射体
２９１，２９２ａ，２９２ｂ      支持部材
７１１      射出光軸
７１２ａ，７１２ｂ      線
７２１      入射側端面
７３１      開口
【図１】
2013040983.tif 000003
【図２】
2013040983.tif 000004
【図３】
2013040983.tif 000005
【図４】
2013040983.tif 000006
【図５】
2013040983.tif 000007
【図６】
2013040983.tif 000008
【図７】
2013040983.tif 000009
【図８】
2013040983.tif 000010